(57)【要約】【課題】本発明は、ＦＰＣ変換ケーブルに関し、例えば、コンピュータシステムにおける既存のホストと、信号伝達の転送方式が異なる新規のデバイスとの接続を可能にすることが課題である。        【解決手段】  フレキシブルプリント基板２の一方の端部にパラレルＡＴＡコネクタ３を設け、他方の端部にシリアルＡＴＡコネクタ４を設け、当該フレキシブルプリント基板上にインターフェイス変換チップ５を搭載したＦＰＣ変換ケーブル１とする。【選択図】図１
2008269393.tif 000002
【特許請求の範囲】
【請求項１】
フレキシブルプリント基板の一方の端部にパラレルＡＴＡコネクタを設け、他方の端部にシリアルＡＴＡコネクタを設け、当該フレキシブルプリント基板上にインターフェイス変換チップを搭載したこと、
を特徴とするＦＰＣ変換ケーブル。
【請求項２】
インターフェイス変換チップには絶縁カバーフィルムが被覆されると共に、このインターフェイス変換チップを搭載したフレキシブルプリント基板の面と反対の面にシールド部材を貼着したこと、
を特徴とする請求項１に記載のＦＦＣ変換ケーブル。
【請求項３】
パラレルＡＴＡコネクタ及びシリアルＡＴＡコネクタを設けた面と反対の面に補強板がそれぞれ設けられていること、
をとする請求項１乃至２のいずれかに記載のＦＰＣ変換ケーブル。
【発明の詳細な説明】
【技術分野】
【０００１】
本発明は、例えば、コンピュータやパーソナルコンピュータ等とこれらの周辺機器である記憶装置等とをインターフェイスを介して接続する変換ケーブルに関するものである。
【背景技術】
【０００２】
従来、上記のようなコンピュータ・ホストに各種周辺装置、例えばストレージ・デバイス（記憶装置）を接続するインターフェイスには、クライアント向けのＡＴＡ（Advanced  Technology  Attachment  ）、サーバーや大型記憶装置向けのＳＣＳＩ（Small  Computer  System  Interface  ）が知られている。そして、これらを接続する接続ケーブルとして、いずれもパラレル転送方式のフラットケーブルが主に使用されている（特許文献１参照）。
【特許文献１】特開平９−２８３２４４号公報
【発明の開示】
【発明が解決しようとする課題】
【０００３】
しかし、従来のパラレルＡＴＡ／ＳＣＳＩのインターフェイスは、その転送速度の限界や接続台数の制限があり、近年の急激な入出力速度の高速化、容量の大幅な上昇に対応することができなくなっている。そこで、従来のパラレル転送方式から、１本の信号線にビット・データを連続して転送するシリアル転送方式（シリアルＡＴＡ、ＳＡＳ（Serial  Attached  SCSI））に移行しているのが現状である。これにより、データ転送速度が向上し、デバイスの接続台数が増大すると共に、パラレル転送方式における障害であったクロストークやスキューを解消することもできる。
【０００４】
ところが、周辺装置である記憶装置，ＣＤ−ＲＯＭ，ＣＤ±Ｒ／±ＲＷ，ＤＶＤ−ＲＯＭ，ＤＶＤ±Ｒ／±ＲＷ等ではシリアルＡＴＡインターフェイスが採用されてきたが、コンピュータ側では製品寿命の相違から従前のパラレルＡＴＡインターフェイスのままであることが多く、このパラレルＡＴＡと、シリアルＡＴＡ若しくはＳＡＳとではコネクタ構造が異なって互換性がないので、変換用のインターフェイス及び接続用の変換ケーブルが必要となる。ホスト側のマザーボードがシリアルＡＴＡインターフェイスを搭載し、その周辺装置がパラレルＡＴＡインターフェイスの場合も同様である。
【０００５】
更に、ノート型パソコンと複合複写機などのデバイスシステムにおいて、製品保守やシステム維持のためにホスト側とデバイス側との間に前記変換用インターフェイス及び変換ケーブルを介装させる場合でも、電子部品の高密度実装化及び軽薄短小化が要請されるので、狭小スペースに配設することが必要となり、より一層の薄型化が求められる。本発明に係るＦＰＣ変換ケーブルは、このような課題を解決するために提案されたもものである。
【課題を解決するための手段】
【０００６】
本発明に係るＦＰＣ変換ケーブルの上記課題を解決して目的を達成するための要旨は、フレキシブルプリント基板の一方の端部にパラレルＡＴＡコネクタを設け、他方の端部にシリアルＡＴＡコネクタを設け、当該フレキシブルプリント基板上にインターフェイス変換チップを搭載したことである。
また、前記インターフェイス変換チップには絶縁カバーフィルムが被覆されると共に、このインターフェイス変換チップを搭載したフレキシブルプリント基板の面と反対の面にシールド部材を貼着したこと、；
前記パラレルＡＴＡコネクタ及びシリアルＡＴＡコネクタを設けた面と反対の面に補強板がそれぞれ設けられていること、；
を含むものである。
【発明の効果】
【０００７】
本発明のＦＰＣ変換ケーブルによれば、例えば、パラレルＡＴＡのホスト側とシリアルＡＴＡのデバイス側とを接続可能にして、システムの維持に貢献するものとなる。よって、コンピュータシステム製品・部品資源の有効活用が図れる。
また、ケーブルとしてフレキシブルプリント基板（ＦＰＣ、以下同じ）を採用し、且つ、このＦＰＣケーブルに直接、シリアル−パラレル変換用の変換チップ回路を搭載したことで、部品点数が減少すると共に、狭小スペースや複雑な配置にも柔軟に対応して配設することができる。
更に、絶縁カバーフィルムにより周辺の配置部品との短絡を防止し、シールド部材によりデータ信号のノイズを除去する。
コネクタを設ける部分を、合成樹脂製の板などで強度的に補強することで、コネクタ接続が容易になると共に確実に接続させることができる。
【発明を実施するための最良の形態】
【０００８】
本発明に係るＦＰＣ変換ケーブル１は、図１乃至図２に示すように、フレキシブルプリント基板２の一方の端部にパラレルＡＴＡコネクタ３を設け、他方の端部にシリアルＡＴＡコネクタ４を設け、当該フレキシブルプリント基板２上にインターフェイス変換回路用のＩＣであるインターフェイス変換チップ５を搭載したものである。
【０００９】
前記インターフェイス変換チップ５には、周辺の電気・電子部材との短絡を防止するために、合成樹脂製の絶縁カバーフィルム６が被覆される。また、このインターフェイス変換チップ５を搭載したフレキシブルプリント基板２の面と反対の面にシールド部材でその厚さが約１４５μｍのシールド織布７を貼着している。これにより、ノイズの発生を防止するものである。
【００１０】
更に、前記パラレルＡＴＡコネクタ３及びシリアルＡＴＡコネクタ４を設けた面と反対の面に、例えば、合成樹脂製で、その板厚をｔ＝０．６ｍｍの補強板８ａ，８ｂがそれぞれ設けられている。この補強板８ａ，８ｂがあることで、接続側デバイスにおけるコネクタとの挿抜が行いやすくなるものである。
【実施例】
【００１１】
このようなＦＰＣ変換ケーブル１を形成することで、例えば、複合複写機に搭載された2.5型ハードディスクドライブでパラレルＡＴＡインターフェイスであるものが故障した際に、本発明のＦＰＣ変換ケーブル１を使用して、シリアルＡＴＡインターフェイスのハードディスクドライブを前記複合複写機に新しく搭載することができた。
【００１２】
更に、コンピュータ搭載マザーボードにおいては、パラレルＡＴＡインターフェイスを搭載したものが多数出荷されていて、これに、最新のシリアルＡＴＡインターフェイス搭載のハードディスクをＦＰＣ変換ケーブル１で、例えば、システム保守において接続することで、システムを有効活用することができる。
【図面の簡単な説明】
【００１３】
【図１】本発明に係るＦＰＣ変換ケーブル１の縦断面図である。
【図２】同本発明のＦＰＣ変換ケーブル１の平面図である。
【符号の説明】
【００１４】
１          ＦＰＣ変換ケーブル、
２          フレキシブルプリント基板、
３          パラレルＡＴＡコネクタ、
４          シリアルＡＴＡコネクタ、
５          インターフェイス変換チップ、  
６          絶縁カバーフィルム、
７          シールド織布、
８ａ，８ｂ  補強板。
【図１】
2008269393.tif 000003
【図２】
2008269393.tif 000004